(57)【特許請求の範囲】
【請求項１】
上部に開口部が設けられ、家庭用薄紙を内部に収納する容器本体と、
前記容器本体の後面側に回動可能に軸支され、前記開口部を開閉自在とする蓋部と、を備える家庭用薄紙収納容器であって、
前記容器本体は、前記蓋部が軸支された後面側と対向する前面側に、前記蓋部が有する係止部と係合する係合部を有し、
前記容器本体と前記蓋部のいずれか一方には、前記係止部と前記係合部の係合を解除するための係合解除部材と挟持部とが対向して備えられ、前記係合解除部材と前記挟持部を挟持することによって、前記係合解除部材が前記係止部と前記係合部の係合を解除するようになっており、
前記挟持部は、前記係合解除部材と対向する面と反対の面側に折られた状態から、当該家庭用薄紙収納容器から離間する方向に折られた部分を戻すことで挟持可能部分を拡大する第一操作部を有し、
前記係合解除部材は、前記挟持部と対向する面と反対の面側に折られた状態から、当該家庭用薄紙収納容器から離間する方向に折られた部分を戻すことで挟持可能部分を拡大する第二操作部を有することを特徴とする家庭用薄紙収納容器。
【請求項２】
前記容器本体と前記蓋部のいずれか一方に、前記容器本体と前記蓋部を離間させる方向に付勢する弾性部材を備えることを特徴とする請求項１に記載の家庭用薄紙収納容器。
【発明の詳細な説明】
【技術分野】
【０００１】
本発明は、家庭用薄紙を収納する家庭用薄紙収納容器に関する。
【背景技術】
【０００２】
従来、家屋の床やトイレ、または人体などを拭くためのウェットシートやウェットティッシュなどの家庭用薄紙を収納する密閉容器がある。
その密閉容器における所定の係合部を指先などで操作して、容器本体と蓋部との係合を解除することに伴い、その蓋部がゴムやバネなどの弾性部材によって押し上げられて、家庭用薄紙を取り出すための開口部が現れる家庭用薄紙収納容器が知られている（例えば、特許文献１参照。）。
【特許文献１】特開２００７−１１２４５７号公報
【発明の開示】
【発明が解決しようとする課題】
【０００３】
しかしながら、上記特許文献１の場合、ユーザが係合解除部材と挟持部とを挟持することによって、その係合解除部材が係止部と係合部の係合を解除して、容器の蓋部が開くようになっているが、係合解除部材や挟持部をつまむ部分が小さいために、それらを挟持し損なってしまい、蓋部を開け損なうことがあるという問題があった。
一方で、係合解除部材や挟持部をつまみ易くするために、単に大きくしてしまうと、係合解除部材や挟持部が容器から出っ張る部分が大きくなってしまい、容器の製造ラインで邪魔になったり破損しやすくなったりすることがある。また、出荷時などに梱包する際や店舗の商品棚に陳列する際にデッドスペースが生じ易くなったり、その係合解除部材や挟持部を破損し難くする包装をしなければならなかったりする問題があった。
【０００４】
本発明の目的は、容器の蓋を開け易い家庭用薄紙収納容器を提供することである。
【課題を解決するための手段】
【０００５】
以上の課題を解決するため、請求項１に記載の発明は、
上部に開口部が設けられ、家庭用薄紙を内部に収納する容器本体と、
前記容器本体の後面側に回動可能に軸支され、前記開口部を開閉自在とする蓋部と、を備える家庭用薄紙収納容器であって、
前記容器本体は、前記蓋部が軸支された後面側と対向する前面側に、前記蓋部が有する係止部と係合する係合部を有し、
前記容器本体と前記蓋部のいずれか一方には、前記係止部と前記係合部の係合を解除するための係合解除部材と挟持部とが対向して備えられ、前記係合解除部材と前記挟持部を挟持することによって、前記係合解除部材が前記係止部と前記係合部の係合を解除するようになっており、
前記挟持部は、前記係合解除部材と対向する面と反対の面側に折られた状態から、当該家庭用薄紙収納容器から離間する方向に折られた部分を戻すことで挟持可能部分を拡大する第一操作部を有し、
前記係合解除部材は、前記挟持部と対向する面と反対の面側に折られた状態から、当該家庭用薄紙収納容器から離間する方向に折られた部分を戻すことで挟持可能部分を拡大する第二操作部を有することを特徴とする。
【０００７】
請求項２に記載の発明は、請求項１に記載の家庭用薄紙収納容器において、
前記容器本体と前記蓋部のいずれか一方に、前記容器本体と前記蓋部を離間させる方向に付勢する弾性部材を備えることを特徴とする。
【発明の効果】
【０００８】
本発明によれば、挟持部は、係合解除部材と対向する面と反対の面側に折られた状態から、家庭用薄紙収納容器から離間する方向に折られた部分を戻すことで挟持可能部分を拡大する第一操作部を有し、係合解除部材は、挟持部と対向する面と反対の面側に折られた状態から、家庭用薄紙収納容器から離間する方向に折られた部分を戻すことで挟持可能部分を拡大する第二操作部を有しているので、その操作部によって挟持可能部分が拡大された係合解除部材と挟持部をユーザが摘み易くなるため、より確実に係合解除部材と挟持部を挟持することが可能になる。
そして、ユーザが係合解除部材と挟持部を挟持して、係合解除部材が係止部と係合部の係合を解除することによって、容易に容器の蓋部を開けることが可能になる。
【発明を実施するための最良の形態】
【０００９】
以下、図面を参照して、本発明に係る家庭用薄紙収納容器の実施形態について詳細に説明する。
【００１０】
図１は家庭用薄紙収納容器１００が開けられた状態を示す前方斜視図であり、図２は家庭用薄紙収納容器１００が開けられた状態を示す後方斜視図である。また、図３は家庭用薄紙収納容器１００が閉じられた状態を示す前方斜視図であり、図４は家庭用薄紙収納容器１００が閉じられた状態を示す後方斜視図である。
図５（ａ）は、家庭用薄紙収納容器１００の容器本体１０から蓋部２０を取り外した分解斜視図であり、図５（ｂ）は、取り外された蓋部２０の裏側（内面側）を示す斜視図である。
図６は、図１のVI−VI線における断面図であり、内部に複数の家庭用薄紙Ｐが収納されている状態を示している。
【００１１】
家庭用薄紙収納容器１００は、図１から図６に示すように、上部に開口部１０ｃが設けられ、前後方向に積層された複数の家庭用薄紙Ｐを収納するための容器本体１０と、容器本体１０の後面部１０ａ側に回動可能に備えられ、開口部１０ｃを開閉自在とする蓋部２０と、蓋部２０に備えられ、容器本体１０と蓋部２０を離間させる方向に付勢する弾性部材であるねじりコイルばね３０と、を備えている。
【００１２】
そして、家庭用薄紙収納容器１００は、容器本体１０に対し蓋部２０が閉じられた状態で、内部にウェットシートやウェットティッシュなどの家庭用薄紙Ｐを収容する筐体状の容器である。
なお、容器本体１０と蓋部２０は、ＰＰ（ポリプロピレン）、ＡＢＳ（アクリロニトリル・ブタジエン・スチレン）、ＰＥ（ポリエチレン）、ＰＰとＰＥの混合体などの樹脂が、ブロー成形、射出成形（コールドランナー、ホットランナー）など一般的な製造方法によって成形される。
【００１３】
容器本体１０の後面部１０ａの開口部１０ｃ近傍には、容器ヒンジ部１１が形成されており、蓋部２０の後面側には、蓋ヒンジ部２１が形成されている。
この容器ヒンジ部１１の軸穴１１ａに蓋ヒンジ部２１の軸突起２１ａを係入して、容器ヒンジ部１１と蓋ヒンジ部２１とを取り付けることによって、容器ヒンジ部１１と蓋ヒンジ部２１とが連結されてなるヒンジ機構部３３が構成される。そして、このヒンジ機構部３３を介して、蓋部２０が容器本体１０に対して回動可能に軸支されている。
【００１４】
また、蓋ヒンジ部２１には筒部２２が備えられており、その筒部２２の内側にねじりコイルばね３０が装着されている。このねじりコイルばね３０が蓋部２０を容器本体１０から離間させる方向に付勢することで、蓋部２０がヒンジ機構部３３を軸心に回動するように押し上げられて開口部１０ｃが開くようになっている。
【００１５】
容器本体１０の前面部１０ｂ側の開口部１０ｃ近傍には、係合部１３（図７参照）が形成されており、蓋部２０の前面側には、係止部２３が形成されている。
そして、蓋部２０の前面側が容器本体１０の前面部１０ｂに接触された際に、係合部１３が係止部２３と係合することにより、蓋部２０が容器本体１０側に保持されるように、開口部１０ｃを閉じるようになっている。
【００１６】
また、容器本体１０の前面部１０ｂの外面側であって開口部１０ｃ近傍には、前方に突出する挟持部１２が備えられており、挟持部１２には、係合解除部材１４がその配置を変更可能に軸支されて配設されている。
【００１７】
挟持部１２は、図７（ａ）に示すように、前面部１０ｂの外面から前方に略水平方向に延出するとともに、その先端部側が下方に略垂直方向に屈曲した後、再度前方略水平方向に屈曲する形状を有している。そのため、挟持部１２の下面側には凹部（くびれ部分）１２ａが形成されることとなり、係合解除部材１４と挟持部１２を挟持する際に、指が挟持部１２の凹部１２ａに引っ掛かりやすくなるので、より確実に容器本体１０を固定するように保持することが可能になる。
更に、挟持部１２は、図７（ａ）（ｂ）に示すように、家庭用薄紙収納容器１００から離間する方向に折り返すことで挟持可能部分を拡大する第一操作部１２ｓを有している。そのため、係合解除部材１４と挟持部１２を挟持する際に、挟持部１２をつまみ易くなるので、より確実に係合解除部材１４と挟持部１２を挟持することが可能になる。
【００１８】
係合解除部材１４は、図７（ａ）に示すように、軸部１４ｃと、容器の前方に延出する一端部１４ａと、蓋部２０の押上突起２４に当接可能な他端部１４ｂとを有している。
更に、係合解除部材１４は、図７（ａ）（ｂ）に示すように、家庭用薄紙収納容器１００から離間する方向に折り返すことで挟持可能部分を拡大する第二操作部１４ｓを有している。そのため、係合解除部材１４と挟持部１２を挟持する際に、係合解除部材１４をつまみ易くなるので、より確実に係合解除部材１４と挟持部１２を挟持することが可能になる。
【００１９】
なお、図８（ｂ）に示すように、挟持部１２と第一操作部１２ｓとは、薄肉折目部１２Ｌで接合されており、第一操作部１２ｓを挟持部１２側に折り返して、連結凹部１２ｎに連結凸部１２ｍを嵌め込むことで、挟持部１２に第一操作部１２ｓが固定され、挟持操作する挟持可能部分を拡大するようになっている（図７（ｂ）参照）。
また、図８（ａ）に示すように、係合解除部材１４における一端部１４ａと第二操作部１４ｓとは、薄肉折目部１４Ｌで接合されており、第二操作部１４ｓを一端部１４ａ側に折り返して、連結凹部１４ｎに連結凸部１４ｍを嵌め込むことで、一端部１４ａに第二操作部１４ｓが固定され、挟持操作する挟持可能部分を拡大するようになっている（図７（ｂ）参照）。
【００２０】
そして、図７（ｂ）（ｃ）に示すように、係合解除部材１４と挟持部１２とを挟持すると、係合解除部材１４の一端部１４ａが挟持部１２に近接する方向に揺動する。このように係合解除部材１４を揺動させるようにその配置を変更させると、係合解除部材１４の他端部１４ｂが蓋部２０の押上突起２４を押し上げて、係止部２３と係合部１３の係合が解除されるようになっている。
つまり、係合解除部材１４と挟持部１２を挟持し、係合解除部材１４を揺動させることにより、係止部２３と係合部１３の係合を解除すると、ねじりコイルばね３０の付勢力によって、蓋部２０が押し上げられて開くようになっている。
【００２１】
このように、家庭用薄紙収納容器１００の蓋部２０を開ける場合には、係合解除部材１４を揺動させるように、係合解除部材１４と挟持部１２を挟持すればよい。
特に、挟持部１２は、第一操作部１２ｓを折り返して固定したことによって、挟持操作する挟持可能部分を拡大しており、同様に、係合解除部材１４は、一端部１４ａに第二操作部１４ｓを折り返して固定したことによって、挟持操作する挟持可能部分を拡大しているので、係合解除部材１４と挟持部１２を挟持し易くなっており、蓋部２０を開け易くなっている。
【００２２】
そして、係止部２３と係合部１３の係合を解除するために、係合解除部材１４の一端部１４ａを挟持部１２に近接させるように押し下げる勢い（力）が強い場合であっても、挟持部１２や係合解除部材１４がユーザによって挟持されて保持されているので、その容器が動いてしまったり、倒れてしまったりするようなトラブルを防ぐことができる。
また、係止部２３と係合部１３の係合が解除されて、ねじりコイルばね３０の付勢力によって、蓋部２０が押し上げられて開く際に、挟持部１２や係合解除部材１４がユーザによって挟持されて保持されているので、押し上げられた蓋部２０の反動が大きい場合であっても、その容器が動いてしまったり、倒れてしまったりするようなトラブルを防ぐことができる。
【００２３】
また、図６に示すように、容器本体１０の底部１０ｄは、容器本体１０の前面部１０ｂ側から後面部１０ａ側に向かって下方に傾斜しており、その底部１０ｄには、左右方向に延在する複数の突部１０ｅが形成されている。
底部１０ｄの傾斜角度は、１０°〜２０°程度が好ましい。
また、突部１０ｅは、１〜４ｍｍ程度の高さを有する突状体であり、前後方向に５〜１５ｍｍの間隔で形成されている。
また、容器本体１０は、その前面部１０ｂ側の高さが後面部１０ａ側の高さより低く形成されている。
【００２４】
このように、容器本体１０の底部１０ｄが、容器本体１０の前面部１０ｂ側から後面部１０ａ側に向かって下方に傾斜しているため、容器本体１０に収納した家庭用薄紙Ｐの束が後面部１０ａに寄り掛かるように斜めに収容しやすくなる。
家庭用薄紙Ｐの束が後面部１０ａに寄り掛かるように斜めに収容されると、複数の家庭用薄紙Ｐにおいて隣接する家庭用薄紙Ｐの上端部の高さ位置がそれぞれ異なるように収納されるので、それぞれの家庭用薄紙Ｐの端部を視認しやすく、掴みやすい。
また、家庭用薄紙Ｐの束が後面部１０ａに寄り掛かるように斜めに収容されていると、蓋部２０が上方に開口した際に、容器内の前面側に空間が形成されるので、容器内に手や指を入れやすく、家庭用薄紙Ｐを取り出しやすい。特に、容器本体１０における前面部１０ｂ側の高さが後面部１０ａ側の高さより低く形成されているので、容器本体１０と蓋部２０の間をより広くすることができ、家庭用薄紙Ｐがより取り出しやすくなる。
また、容器本体１０内で家庭用薄紙Ｐの束が前面部１０ｂ側に前傾し寄り掛かってしまうと、蓋部２０を閉める際に、容器本体１０と蓋部２０の間に家庭用薄紙Ｐが挟まってしまい、蓋部２０が閉めにくいトラブルが発生することがあるが、本発明の家庭用薄紙収納容器１００においては、家庭用薄紙Ｐは後傾しているのでそのようなトラブルを防ぐことができる。
また、底部１０ｄに形成されている複数の突部１０ｅに、容器本体１０に収納した家庭用薄紙Ｐの下端部が当接し引っ掛かることによって、家庭用薄紙Ｐが底部１０ｄの傾斜に沿ってずれ難くなるので、容器本体１０内に収納される家庭用薄紙Ｐの姿勢をより安定させることができる。
【００２５】
また、図６、図７、図９に示すように、容器本体１０の開口部１０ｃの周縁部４には、容器本体１０に対し蓋部２０が閉じられた際に、蓋部２０の周縁部３が嵌入する溝部５が形成されている。
そして、容器本体１０の周縁部４の溝部５に、蓋部２０の周縁部３が嵌入した際に、蓋部２０の周縁部３における当該容器の内側と、容器本体１０の周縁部４との間をその周縁部全周に亘って密着させる第１環状突部１が、容器本体１０の溝部５の内面に形成されている。また、蓋部２０の周縁部３における当該容器の外側と、容器本体１０の周縁部４との間をその周縁部全周に亘って密着させる第２環状突部２が、容器本体１０の溝部５の内面に形成されている。
第１環状突部１の高さは０．５ｍｍに形成され、第２環状突部２の高さは０．７ｍｍに形成されており、それぞれ異なる高さを有している。なお、第１環状突部１と第２環状突部２の高さは同じであってもよい。
また、図９、図１０に示すように、溝部５において第２環状突部２が形成されている面には、上下方向に延在し、蓋部２０の周縁部３を溝部５内に案内する複数の部分リブ６が、所定間隔をあけて形成されている。
このように、容器本体１０の開口部１０ｃを閉めるように蓋部２０で蓋をし、蓋部２０の周縁部３が溝部５に嵌入した際に、周縁部３における当該容器の内側で第１環状突部１が容器本体１０と蓋部２０の間を密封し、周縁部３における当該容器の外側で第２環状突部２が容器本体１０と蓋部２０の間を密封することができるので、家庭用薄紙収納容器１００の密閉性を向上させることができる。
【００２６】
また、第１環状突部１と第２環状突部２とは、容器本体１０の周縁部４の溝部５に蓋部２０の周縁部３が嵌入した際に、その蓋部２０を挟んで対向する位置が互いにずれており、第１環状突部１の方が第２環状突部２より開口部１０ｃの端部側（図中、上側）に位置している。そのずれ量は、０．５ｍｍ〜１ｍｍ程度である。
このように、第１環状突部１と第２環状突部２とが蓋部２０を挟んで対向する位置が互いにずれていることによって、蓋部２０の周縁部３に第１環状突部１と第２環状突部２が当接する際に作用する力や歪を分散させることができるので、蓋部２０の周縁部３を溝部５に嵌入しやすい。
【００２７】
また、図１０に示すように、第１環状突部１と第２環状突部２の容器本体１０における配置は、当該容器の前面部１０ｂ側より後面部１０ａ側の方が、容器本体１０の周縁部４の端部からの距離が長い下方に位置している。なお、第１環状突部１と第２環状突部２とは、当該容器の前面部１０ｂ側より後面部１０ａ側の方が、容器本体１０の周縁部４の端部から０．４〜０．８ｍｍ程度下側に形成されている。
このように、容器本体１０に対する第１環状突部１と第２環状突部２の配置が、この容器の前面部１０ｂ側と後面部１０ａ側とでずれていることにより、ヒンジ機構部３３の回動に伴って容器本体１０に対し蓋部２０が閉じられる際に、その閉じられる蓋部２０の周縁部３と先に接触しやすい後面部１０ａの周縁部４と、僅かに後にずれたタイミングで接触する前面部１０ｂの周縁部４において、蓋部２０の周縁部３が第１環状突部１と第２環状突部２とに接触するタイミングをほぼ同じタイミングとすることができ、蓋部２０の周縁部３が溝部５に入りやすくなっている。
【００２８】
また、図５、図１１に示すように、蓋ヒンジ部２１に備えられている筒部２２は、蓋部２０（蓋ヒンジ部２１）と一体成形されているので、各種部材を折り曲げたり組み付けたりして形成されるヒンジ部に比べて、コンパクトなサイズとすることができ、より容易に形成することができる。
【００２９】
また、図５、図１２に示すように、容器本体１０の容器ヒンジ部１１には、蓋部２０が容器本体１０から離間する方向に回動する際に、蓋部２０（蓋ヒンジ部２１）に接して摩擦力を付与する摺接部１５が形成されている。
特に、蓋部２０が容器本体１０から開く際に（図１２（ａ）参照）、蓋部２０が容器本体１０から所定量（所定角度）回動した後に、蓋部２０の蓋ヒンジ部２１が容器本体１０の容器ヒンジ部１１の摺接部１５に接触して（図１２（ｂ）参照）、蓋部２０の回動が止まるまで摺接部１５に摺接するように（図１２（ｃ）参照）、摺接部１５は配設されている。
このように、蓋部２０が開く直後には、蓋ヒンジ部２１（蓋部２０）に摺接部１５は接触せず、摩擦力を付与しないので、蓋部２０は、ねじりコイルばね３０の付勢力によって好適に押し上げられて開く。そして、蓋部２０が所定角度分回動した際（例えば、蓋部２０の開口角度が６０°に開くまで回動した際）に、蓋ヒンジ部２１（蓋部２０）と摺接部１５が接触し、摺動部１５が蓋ヒンジ部２１（蓋部２０）へ摩擦力の付与を開始する。そして、例えば、蓋部２０の開口角度が７０°となり、蓋部２０の回動が止まるまで、摺動部１５は蓋ヒンジ部２１（蓋部２０）に摺接し続け、摺接部１５は蓋ヒンジ部２１（蓋部２０）に摩擦力を付与し、蓋部２０がねじりコイルばね３０によって押し上げられる勢いにブレーキを掛け、蓋部２０が回動する速度を調整することができる。
【００３０】
以上のように、本発明に係る家庭用薄紙収納容器１００は、係合解除部材１４と挟持部１２を挟持するワンタッチ操作によって、係止部２３と係合部１３の係合を解除することにより、ねじりコイルばね３０の付勢力によって蓋部２０を開くことができる。
特に、挟持部１２における第一操作部１２ｓを折り返して固定したことによって、挟持部１２を挟持操作する挟持可能部分を拡大しており、また、係合解除部材１４における一端部１４ａに第二操作部１４ｓを折り返して固定したことによって、係合解除部材１４を挟持操作する挟持可能部分を拡大しているので、係合解除部材１４と挟持部１２を挟持し易くなっており、家庭用薄紙収納容器１００の蓋部２０を容易に開けることが可能になっている。
【００３１】
また、未使用時における係合解除部材１４や挟持部１２において、第一操作部１２ｓや第二操作部１４ｓは折り畳まれており、その出っ張りを抑えているので、その係合解除部材１４や挟持部１２が邪魔になり易いことや破損し易いことに関するトラブルを低減することができる。
【００３２】
また、蓋部２０がねじりコイルばね３０の付勢力によって押し上げられた際に、その付勢力の反動が大きい場合でも、挟持部１２や係合解除部材１４をつまみ易いため、その挟持部１２や係合解除部材１４がユーザによって挟持されて保持されているので、家庭用薄紙収納容器１００が動いてしまったり、倒れてしまったりするようなトラブルを防ぎ、容器の姿勢を安定させることができる。そして、その安定した姿勢の家庭用薄紙収納容器１００内から好適に家庭用薄紙Ｐを取り出すことができる。
従って、この家庭用薄紙収納容器１００は、蓋部２０を開け易く、家庭用薄紙Ｐを取り出しやすい容器とすることができる。
【００３３】
なお、本発明は上記実施形態に限られるものではない。
例えば、図１３（ａ）（ｂ）に示すように、挟持部１２が、家庭用薄紙収納容器１００から離間する方向にスライド移動することで挟持可能部分を拡大する第一操作部１２ｔを有し、また、係合解除部材１４が、家庭用薄紙収納容器１００から離間する方向にスライド移動することで挟持可能部分を拡大する第二操作部１４ｔを有するようにしてもよい。
このようにスライド移動する第一操作部１２ｔや第二操作部１４ｔであっても、挟持部１２や係合解除部材１４の挟持可能部分を拡大することができる。そして、挟持部１２と係合解除部材１４を挟持する際に、挟持部１２と係合解除部材１４とをつまみ易くなるので、より確実に挟持部１２と係合解除部材１４を挟持することが可能になり、蓋部２０を容易に開けることができる。
また、未使用時における係合解除部材１４や挟持部１２において、第一操作部１２ｔや第二操作部１４ｔは縮められており、その出っ張りを抑えているので、その係合解除部材１４や挟持部１２が邪魔になり易いことや破損し易いことに関するトラブルを低減することができる。
【００３４】
なお、以上の実施の形態においては、挟持部や係合解除部材を容器本体側に備える構成を例に挙げて説明したが、本発明はこれに限定されるものではなく、挟持部や係合解除部材を蓋部側に備えるようにしてもよい。
【００３５】
また、以上の実施の形態においては、蓋部２０は容器本体１０にヒンジ機構部３３を介して軸支されるとしたが、本発明はこれに限定されるものではなく、例えば、蓋部は容器本体と一体に成形されたものであってもよく、その容器本体の開口部に対して、その容器の肉厚を左右方向に沿って一部薄くなる折り目を形成することにより、左右方向に沿った折り目を軸線に折曲される蓋部とすることで、その折り目を軸心とするように蓋部を回動可能にし、開口部を開閉する構成としてもよい。
【００３６】
また、その他、具体的な細部構造等についても適宜に変更可能であることは勿論である。
【図面の簡単な説明】
【００３７】
【図１】本発明に係る家庭用薄紙収納容器の蓋部が開けられた状態を示す斜視図である。
【図２】本発明に係る家庭用薄紙収納容器の蓋部が開けられた状態を示す斜視図である。
【図３】本発明に係る家庭用薄紙収納容器の蓋部が閉められた状態を示す斜視図である。
【図４】本発明に係る家庭用薄紙収納容器の蓋部が閉められた状態を示す斜視図である。
【図５】家庭用薄紙収納容器の容器本体から蓋部を取り外した状態を示す分解斜視図（ａ）と、取り外された蓋部の裏側を示す斜視図（ｂ）である。
【図６】図１のVI−VI線における断面図であり、容器内部に複数の家庭用薄紙が収納されている状態を示している。
【図７】未使用時の挟持部と係合解除部材の状態を示す説明図（ａ）と、挟持可能部分が拡大されて係止部と係合部が係合している状態を示す説明図（ｂ）と、係止部と係合部の係合が解除された状態を示す説明図（ｃ）である。
【図８】係合解除部材の操作部（ａ）と、挟持部の操作部（ｂ）と、を示す拡大図である。
【図９】容器本体の溝部に蓋部の周縁部が嵌入した状態を示す説明図である。
【図１０】容器本体の溝部に形成された第１環状突部と第２環状突部の配置を示す説明図である。
【図１１】蓋部の裏側（内面側）を示す斜視図である。
【図１２】摺接部と蓋ヒンジ部との配置を示す説明図であり、蓋部が閉じられた状態（ａ）と、蓋部が開けられ蓋ヒンジ部が摺接部に接触した状態（ｂ）と、蓋ヒンジ部が摺接部に接触して蓋部の回動が止まった状態（ｃ）である。
【図１３】未使用時の挟持部と係合解除部材の状態を示す説明図（ａ）と、挟持可能部分が拡大されて係止部と係合部が係合している状態を示す説明図（ｂ）である。
【符号の説明】
【００３８】
１０    容器本体
１０ａ  後面部
１０ｂ  前面部
１０ｃ  開口部
１２    挟持部
１２ａ  凹部
１２ｓ  第一操作部（操作部）
１２ｔ  第一操作部（操作部）
１３    係合部
１４    係合解除部材
１４ａ  一端部
１４ｂ  他端部
１４ｃ  軸部
１４ｓ  第二操作部（操作部）
１４ｔ  第二操作部（操作部）
２０    蓋部
２３    係止部
２４    押上突起
３０    ねじりコイルばね（弾性部材）
３３    ヒンジ機構部
１００  家庭用薄紙収納容器
Ｐ      家庭用薄紙
【図１】
0005166088.tif 000002
【図２】
0005166088.tif 000003
【図３】
0005166088.tif 000004
【図４】
0005166088.tif 000005
【図５】
0005166088.tif 000006
【図６】
0005166088.tif 000007
【図７】
0005166088.tif 000008
【図８】
0005166088.tif 000009
【図９】
0005166088.tif 000010
【図１０】
0005166088.tif 000011
【図１１】
0005166088.tif 000012
【図１２】
0005166088.tif 000013
【図１３】
0005166088.tif 000014